【手続補正書】
【提出日】平成24年4月27日(2012.4.27)
【手続補正１】
【補正対象書類名】特許請求の範囲
【補正対象項目名】全文
【補正方法】変更
【補正の内容】
【特許請求の範囲】
【請求項１】
第１フレームレートを有する第１映像データを、前記第１フレームレートのｎ倍（ｎは２以上の整数）のフレームレートである第２フレームレートを有する第２映像データに変換する変換手段と、
前記第２映像データを表示する表示手段と、
を有し、
前記変換手段は、前記第１映像データが、明度の異なる２枚のフレーム画像が連続する映像データである場合に、前記第１映像データにおいて連続する２枚のフレーム画像からなるフレーム画像群を前記第２フレームレートでｎ回続けて出力することにより、前記第１映像データを前記第２映像データに変換する第１のフレームレート変換処理を行う
ことを特徴とする表示装置。
【請求項２】
前記変換手段は、前記第１フレームレートが所定の閾値より小さい場合に、前記第１のフレームレート変換処理を行う
ことを特徴とする請求項１に記載の表示装置。
【請求項３】
前記表示手段は、前記変換手段が前記第１のフレームレート変換処理を行う場合に、当該第１のフレームレート変換処理がなされた映像データの表示が行われる旨のメッセージ及び／又は画像を表示する
ことを特徴とする請求項１または２に記載の表示装置。
【請求項４】
前記変換手段は、前記第１映像データを出力する映像出力装置から、明度の異なる２枚のフレーム画像が連続する前記第１映像データの伝送が開始されることを示すコマンドを受信したことに応じて、前記第１のフレームレート変換処理を行う
ことを特徴とする請求項１に記載の表示装置。
【請求項５】
第１フレームレートを有する第１映像データを、前記第１フレームレートのｎ倍（ｎは２以上の整数）のフレームレートである第２フレームレートを有する第２映像データに変換する変換手段と、
前記第２映像データを表示する表示手段と、
を有し、
前記変換手段は、前記第１映像データが、明度の異なる２枚のフレーム画像が連続する映像データである場合に、前記第１映像データのｉ番目（ｉは１以上の整数）のフレーム画像とｉ＋１番目のフレーム画像を前記第２フレームレートで順に出力した後、
前記第１映像データのｉ番目のフレーム画像とｉ＋２番目のフレーム画像からなるフレーム画像対、及び、前記第１映像データのｉ＋１番目のフレーム画像とｉ＋３番目のフレーム画像からなるフレーム画像対のそれぞれから補間フレーム画像を生成して、その２枚の補間フレーム画像を前記第２フレームレートで順に出力する処理を、ｎ−１回実行することにより、前記第１映像データを前記第２映像データに変換する第２のフレームレート変換処理を行う
ことを特徴とする表示装置。
【請求項６】
前記変換手段は、前記第１フレームレートが所定の閾値より小さい場合に、前記第２のフレームレート変換処理を行う
ことを特徴とする請求項５に記載の表示装置。
【請求項７】
前記表示手段は、前記変換手段が前記第２のフレームレート変換処理を行う場合に、当該第２のフレームレート変換処理がなされた映像データの表示が行われる旨のメッセージ及び／又は画像を表示する
ことを特徴とする請求項５または６に記載の表示装置。
【請求項８】
前記変換手段は、前記第１映像データを出力する映像出力装置から、明度の異なる２枚のフレーム画像が連続する前記第１映像データの伝送が開始されることを示すコマンドを受信したことに応じて、前記第２のフレームレート変換処理を行う
ことを特徴とする請求項５に記載の表示装置。
【請求項９】
第１フレームレートを有する第１映像データを、前記第１フレームレートのｎ倍（ｎは２以上の整数）のフレームレートである第２フレームレートを有する第２映像データに変換するステップと、
前記第２映像データを表示するステップと、
を有し、
前記フレームレートを変換するステップでは、前記第１映像データが、明度の異なる２枚のフレーム画像が連続する映像データである場合に、前記第１映像データにおいて連続する２枚のフレーム画像からなるフレーム画像群を前記第２フレームレートでｎ回続けて出力することにより、前記第１映像データを前記第２映像データに変換する第１のフレームレート変換処理を行う
ことを特徴とする表示装置の制御方法。
【請求項１０】
前記変換ステップでは、前記第１フレームレートが所定の閾値より小さい場合に、前記第１のフレームレート変換処理を行う
ことを特徴とする請求項９に記載の表示装置の制御方法。
【請求項１１】
前記表示ステップでは、前記変換ステップにおいて前記第１のフレームレート変換処理を行う場合に、当該第１のフレームレート変換処理がなされた映像データの表示が行われる旨のメッセージ及び／又は画像を表示する
ことを特徴とする請求項９または１０に記載の表示装置の制御方法。
【請求項１２】
前記変換ステップでは、前記第１映像データを出力する映像出力装置から、明度の異なる２枚のフレーム画像が連続する前記第１映像データの伝送が開始されることを示すコマンドを受信したことに応じて、前記第１のフレームレート変換処理を行う
ことを特徴とする請求項９に記載の表示装置の制御方法。
【請求項１３】
第１フレームレートを有する第１映像データを、前記第１フレームレートのｎ倍（ｎは２以上の整数）のフレームレートである第２フレームレートを有する第２映像データに変換するステップと、
前記第２映像データを表示するステップと、
を有し、
前記フレームレートを変換するステップでは、
前記第１映像データが、明度の異なる２枚のフレーム画像が連続する映像データである場合に、前記第１映像データのｉ番目（ｉは１以上の整数）のフレーム画像とｉ＋１番目のフレーム画像を前記第２フレームレートで順に出力した後、
前記第１映像データのｉ番目のフレーム画像とｉ＋２番目のフレーム画像からなるフレーム画像対、及び、前記第１映像データのｉ＋１番目のフレーム画像とｉ＋３番目のフレーム画像からなるフレーム画像対のそれぞれから補間フレーム画像を生成して、その２枚の補間フレーム画像を前記第２フレームレートで順に出力する処理を、ｎ−１回実行することにより、前記第１映像データを前記第２映像データに変換するフレームレート変換を行う
ことを特徴とする表示装置の制御方法。
【請求項１４】
前記変換ステップでは、前記第１フレームレートが所定の閾値より小さい場合に、前記第２のフレームレート変換処理を行う
ことを特徴とする請求項１３に記載の表示装置の制御方法。
【請求項１５】
前記表示ステップでは、前記変換ステップにおいて前記第２のフレームレート変換処理を行う場合に、当該第２のフレームレート変換処理がなされた映像データの表示が行われる旨のメッセージ及び／又は画像を表示する
ことを特徴とする請求項１３または１４に記載の表示装置の制御方法。
【請求項１６】
前記変換ステップでは、前記第１映像データを出力する映像出力装置から、明度の異なる２枚のフレーム画像が連続する前記第１映像データの伝送が開始されることを示すコマンドを受信したことに応じて、前記第２のフレームレート変換処理を行う
ことを特徴とする請求項１３に記載の表示装置の制御方法。
【手続補正２】
【補正対象書類名】明細書
【補正対象項目名】００１２
【補正方法】変更
【補正の内容】
【００１２】
上記の目的を達成するための本発明の第１の態様は、第１フレームレートを有する第１映像データを、前記第１フレームレートのｎ倍（ｎは２以上の整数）のフレームレートである第２フレームレートを有する第２映像データに変換する変換手段と、前記第２映像データを表示する表示手段と、を有し、前記変換手段は、前記第１映像データが、明度の異なる２枚のフレーム画像が連続する映像データである場合に、前記第１映像データにおいて連続する２枚のフレーム画像からなるフレーム画像群を前記第２フレームレートでｎ回続けて出力することにより、前記第１映像データを前記第２映像データに変換する第１のフレームレート変換処理を行うことを特徴とする表示装置である。
【手続補正３】
【補正対象書類名】明細書
【補正対象項目名】００１３
【補正方法】変更
【補正の内容】
【００１３】
また、本発明の第２の態様は、第１フレームレートを有する第１映像データを、前記第１フレームレートのｎ倍（ｎは２以上の整数）のフレームレートである第２フレームレートを有する第２映像データに変換する変換手段と、前記第２映像データを表示する表示手段と、を有し、前記変換手段は、前記第１映像データが、明度の異なる２枚のフレーム画像が連続する映像データである場合に、前記第１映像データのｉ番目（ｉは１以上の整数）のフレーム画像とｉ＋１番目のフレーム画像を前記第２フレームレートで順に出力した後、前記第１映像データのｉ番目のフレーム画像とｉ＋２番目のフレーム画像からなるフレーム画像対、及び、前記第１映像データのｉ＋１番目のフレーム画像とｉ＋３番目のフレーム画像からなるフレーム画像対のそれぞれから補間フレーム画像を生成して、その２枚の補間フレーム画像を前記第２フレームレートで順に出力する処理を、ｎ−１回実行することにより、前記第１映像データを前記第２映像データに変換する第２のフレームレート変換処理を行うことを特徴とする表示装置である。
また、本発明の第３の態様は、第１フレームレートを有する第１映像データを、前記第１フレームレートのｎ倍（ｎは２以上の整数）のフレームレートである第２フレームレートを有する第２映像データに変換するステップと、前記第２映像データを表示するステップと、を有し、前記フレームレートを変換するステップでは、前記第１映像データが、明度の異なる２枚のフレーム画像が連続する映像データである場合に、前記第１映像データにおいて連続する２枚のフレーム画像からなるフレーム画像群を前記第２フレームレートでｎ回続けて出力することにより、前記第１映像データを前記第２映像データに変換する第１のフレームレート変換処理を行うことを特徴とする表示装置の制御方法である。
また、本発明の第４の態様は、第１フレームレートを有する第１映像データを、前記第１フレームレートのｎ倍（ｎは２以上の整数）のフレームレートである第２フレームレートを有する第２映像データに変換するステップと、前記第２映像データを表示するステップと、を有し、前記フレームレートを変換するステップでは、前記第１映像データが、明度の異なる２枚のフレーム画像が連続する映像データである場合に、前記第１映像データのｉ番目（ｉは１以上の整数）のフレーム画像とｉ＋１番目のフレーム画像を前記第２フレームレートで順に出力した後、前記第１映像データのｉ番目のフレーム画像とｉ＋２番目のフレーム画像からなるフレーム画像対、及び、前記第１映像データのｉ＋１番目のフレーム画像とｉ＋３番目のフレーム画像からなるフレーム画像対のそれぞれから補間フレーム画像を生成して、その２枚の補間フレーム画像を前記第２フレームレートで順に出力する処理を、ｎ−１回実行することにより、前記第１映像データを前記第２映像データに変換するフレームレート変換を行うことを特徴とする表示装置の制御方法である。